(57)【要約】【課題】座標検出装置を用いた電子ボードシステムにおいて、手の動きのぶれや影などにより細かい座標指定が行いにくい場合に、手の動きのぶれや影などがあっても細かい座標指定を行うことができる手段を提供する。【解決手段】自分がイベントを発生させたい大まかな位置を指定することで、その近辺を拡大表示させる。拡大表示された画面に対して操作を行うことにより、行われた操作の情報を一時的に蓄積し、拡大表示を終了させてから蓄積しておいた操作の情報に従ってイベントを発生させる。【選択図】図８
2010205105.tif 000002
【特許請求の範囲】
【請求項１】
操作者の示す位置近辺を表示画面上に拡大表示する部分拡大表示手段と、
該部分拡大表示手段による拡大表示中に発生した電子ペンイベントを記録する電子ペンイベント記録手段と、
該電子ペンイベント記録手段に記録された電子ペンイベント情報に基づいてマウスイベントを発生させてマウスドライバに引き渡すマウスイベント遅延生成手段と、
該マウスイベント遅延生成手段により発生させたマウスイベントに基づいて作図処理を実行する作図処理手段と、
該作図処理手段により作成された図形と前記部分拡大表示手段により拡大表示される図形とを統合して表示する表示処理手段と
を有する画面生成装置と、
該画面生成装置により生成された操作画面を投影面に投影して表示させる投影装置と、
該投影装置により投影表示された操作画面上で操作を行う電子ペンと、
該電子ペンの位置座標を検出しそれを前記画面生成装置に入力する座標検出装置と
からなる電子ボードシステム。
【請求項２】
操作者の示す位置近辺を表示画面上に拡大表示する部分拡大表示手段と、該部分拡大表示手段による拡大表示中に発生した電子ペンイベントを記録する電子ペンイベント記録手段と、該電子ペンイベント記録手段に記録された電子ペンイベント情報に基づいてマウスイベントを発生させてマウスドライバに引き渡すマウスイベント遅延生成手段と、該マウスイベント遅延生成手段により発生させたマウスイベントに基づいて作図処理を実行する作図処理手段と、該作図処理手段により作成された図形と前記部分拡大表示手段により拡大表示される図形とを統合して表示する表示処理手段とを有する画面生成装置と、該画面生成装置により生成された操作画面を投影面に投影して表示させる投影装置と、該投影装置により投影表示された操作画面上で操作を行う電子ペンと、該電子ペンの位置座標を検出しそれを前記画面生成装置に入力する座標検出装置とからなる電子ボードシステムのマウスイベント擬似発生方法であって、
電子ペンの位置座標及び電子ペンのペンクリックに基づいて所定の領域を拡大表示する拡大表示ステップと、
該拡大表示ステップにて表示された拡大ウインドウ領域内における電子ペンの位置座標及び電子ペンのペンクリック情報を取得する電子ペンイベント取得ステップと、
該電子ペンイベント取得ステップにて取得した電子ペンイベント情報に基づいてマウスイベントを生成するマウスイベント遅延発生ステップと
からなるマウスイベント擬似発生方法。
【請求項３】
操作者の示す位置近辺を表示画面上に拡大表示する部分拡大表示手段と、該部分拡大表示手段による拡大表示中に発生した電子ペンイベントを記録する電子ペンイベント記録手段と、該電子ペンイベント記録手段に記録された電子ペンイベント情報に基づいてマウスイベントを発生させてマウスドライバに引き渡すマウスイベント遅延生成手段と、該マウスイベント遅延生成手段により発生させたマウスイベントに基づいて作図処理を実行する作図処理手段と、該作図処理手段により作成された図形と前記部分拡大表示手段により拡大表示される図形とを統合して表示する表示処理手段とを有する画面生成装置と、該画面生成装置により生成された操作画面を投影面に投影して表示させる投影装置と、該投影装置により投影表示された操作画面上で操作を行う電子ペンと、該電子ペンの位置座標を検出しそれを前記画面生成装置に入力する座標検出装置とからなる電子ボードシステムの入力座標補正方法であって、
電子ペンの位置座標及び電子ペンのペンクリックに基づいて所定の領域を拡大表示する拡大表示ステップと、
該拡大表示ステップにて表示された拡大ウインドウ領域内における電子ペンの位置座標及び電子ペンのペンクリック情報を取得する電子ペンイベント取得ステップと、
該電子ペンイベント取得ステップにて取得した電子ペンイベント情報に基づいてマウスイベントを生成するマウスイベント遅延発生ステップと
からなる入力座標補正方法。
【発明の詳細な説明】
【技術分野】
【０００１】
本発明は、ボード上を電子ペンや手で触れることにより座標を検出する手段を持つ電子ボードシステムに関し、電子ペンや手での指示位置と表示装置によって表示される入力位置のズレを少なくするための技術に関するものである。
【背景技術】
【０００２】
従来において、パーソナルコンピュータから成る画面生成装置で生成した文字や画像などのオブジェクトの操作画面を表示画面投影装置に入力し、この表示画面投影装置により操作画面を大型の電子ボードに投影して表示し、表示された操作画面上で文字オブジェクトを描画したり、画像オブジェクトを操作したりする電子ボードシステムが知られている。
【０００３】
この電子ボードシステムは主に会議や教育などで用いられる。画面生成装置の表示画面に電子的な資料を表示し、電子ボードに映像を投影することにより複数の人間で資料の内容を共有し、電子ペンによる文字の書き込みや拡大表示のような表示内容の強調を簡単に行える。これにより、自然なインタフェースによる効果的なプレゼンテーションを可能とする。
【０００４】
電子ボードシステムは液晶プロジェクタを使って前面から投影するフロントタイプ、プラズマディスプレイや液晶ディスプレイを使ったリアタイプの２種があり、入力手段としては電子ペンを使うもの、手で操作できるもの、指示棒を使って操作できるものなどさまざまなものがある。
【０００５】
特許文献１には、マウスドライバがマウスインタフェースに対して出す読取指示をＩ／Ｏフックして、ペン操作の情報をマウスドライバに引き渡す位置情報入力システムが開示されている。
【０００６】
特許文献２には、タッチパネルからの入力データをマウス互換データに変換してマウスポートへ導くマウスエミュレート回路を備えた情報処理装置が開示されている。
【０００７】
特許文献３には、ペン先を含む範囲の複製画像を表示するサブウインドウ表示手段を備えた電子ボードシステムが開示されている。
【先行技術文献】
【特許文献】
【０００８】
【特許文献１】特開平６−２０２８０５号公報
【特許文献２】特開平１１−８５３９７号公報
【特許文献３】特開２００６−８５４１０号公報
【発明の概要】
【発明が解決しようとする課題】
【０００９】
電子ボードシステムを使ってパーソナルコンピュータのマウスと同じ操作を行う場合、マウスと同じように操作できないという問題がある。
【００１０】
一つ目の理由としてひとつはマウスを使う場合は、腕を机に押し付けた状態で手先だけの動きで位置決めが完了し、指先の動きだけでクリックやダブルクリックの動作ができるが、電子ボードシステムの場合は立って操作するために腕は固定できず、また電子ペンを押し付けるために手全体を動かす必要があるため狙った位置をクリックするのが難しい。この問題は手や電子ペンを使う場合は当然問題となるが、指示棒などを用いて操作する場合にはさらに深刻な問題となる。
【００１１】
二つ目の理由として、前面からコンピュータ画面を投影するフロントタイプの場合は、自分が操作したい位置は自分の手の影になるために操作が難しい。
【００１２】
三つ目の理由として、電子ボードシステムは会議や教育の場で用いられるため、会議参加者や生徒・児童らの視界の妨げとならないように操作者は電子ボード正面から操作せず、斜めの位置から操作することが多くなるため、自分が操作しているつもりの座標と実際に操作している座標にズレが生じやすくなる。
【００１３】
四つ目の理由としてコンピュータ画面を投影している範囲とデジタイザが認識する範囲を一致させるためにキャリブレーション操作が行われていないか、あるいは不十分であった場合に、自分が操作しているつもりの座標と実際に操作している座標にズレが生じやすくなる。
【００１４】
図２はパーソナルコンピュータをマウスで操作するときの手の動きを示した図である。マウス１２０１にかけた手１２０２の指先の動きだけでクリックイベントを発生させることができる。
【００１５】
図３は電子ボードシステムを電子ペンで操作するときの手の動きを示した図である。１３０１電子ペンを持つ１３０２手の全体を動かすことでクリックイベントを発生させる。
【００１６】
図４は画面上に配置されたボタンに対して電子ペンでクリックイベントを生成させようとしている図である。表示画面投影装置１０４により投影されたパーソナルコンピュータの画面１４０１の上に配置されたボタン１４０２に対してクリックイベントを発生させようとしているが、ボタンが手の影１４０３により隠れてしまっている。
【００１７】
図５は指示棒を使って電子ボードシステムの操作を行っている図である。指示棒１５０１の下部を手で持つが、手の動きのぶれは指示棒の先端部ではより大きくなる傾向がある。
【００１８】
図６は会議や教育の場で電子ボードシステムを使用している例の図である。座標検出装置１６０１の取り付けられた盤面上を、操作者１６０２が電子ペンを手で持って操作するが、このとき正面に立ってしまうと表示画面投影装置６０３の影になり会議参加者や生徒・児童らの視界の妨げとなる。
【００１９】
図７も会議や教育の場で電子ボードシステムを使用している例の図であるが、こちらは操作者１７０１が盤面の正面ではなく斜めの位置に立っているため、会議参加者や生徒・児童らの視界の妨げとならない。
【００２０】
本発明は、以上のような理由により電子ボードシステムを使ってパーソナルコンピュータのマウスと同じ操作を行う場合にマウスと同じように操作できないという問題を解決し、電子ボードシステムにふさわしいマウスイベント発生手段及び方法を提供しようとするものである。
【課題を解決するための手段】
【００２１】
上記目的を達成するために、本発明に係る電子ボードシステムは、文字及び画像などを表示するための操作画面を生成する画面生成装置と、生成された操作画面をホワイトボードや黒板といった投影面に投影して表示させる投影装置と、投影表示された操作画面上で操作を行う電子ペンと、ボード上の任意の位置に設置することで当該電子ペンによる操作時の位置座標を検出し、描画操作に伴う位置座標データ群を前記画面生成装置の表示処理手段に入力する座標検出装置と、入力された位置座標データ群を前記画面生成装置内の記憶手段に記憶させると共に、記憶された位置座標データ群を読み出して前記投影装置に入力し、前記投影面に操作内容を投影表示する表示処理手段とから成る電子ボードシステムにおいて、
イベントを発生させたい近辺の位置を電子ペンで触れることにより拡大表示を行う部分拡大表示手段および、拡大表示中に発生したイベントを記録するイベント記録手段、さらには拡大表示を終了した後に記録したイベントを発生させるイベント遅延再生手段を備えることを特徴とする。
【発明の効果】
【００２２】
本発明によれば、イベントを発生させたい近辺の位置を電子ペンで触れることにより、拡大表示を行わせた状態で電子ペンによる操作が行えるため発明が解決しようとする課題に記載した、マウスと同じように操作できない４つの理由のすべてを解決もしくは軽減することができる。
【００２３】
一つ目の理由としてあげた狙った位置のクリックの難しさについては手の動きのぶれによるものであるが、本発明によって拡大した画面上において操作を行うために手の動きのぶれの悪影響が軽減される。
【００２４】
例えば縦横１０ドットの大きさのボタンを押下する場合、ボタンの中心から５ドット以上ズレるとボタン押下と認識されなくなるが、２倍の拡大表示を行った場合にボタンの大きさは縦横２０ドットの大きさとなるため、ボタンの中心から１０ドット以上ズレなければボタン押下と認識される。つまり２倍の拡大表示を行うことで２倍の手の動きのぶれを許容することができる。
【００２５】
指示棒を使って電子ボードシステムを操作する場合には、指示棒の長さが手の動きのぶれを拡大させてしまうため、本発明による手の動きのぶれの許容効果が顕著にあらわれる。
【００２６】
二つ目の理由としてあげた手の影によるクリックの難しさについては、本発明によって拡大した画面上において操作を行うために操作範囲は拡大されるが影の大きさはそのままであるため、操作範囲に対して隠れて見えない範囲の比率が小さくなり、操作のしにくさが軽減される。
【００２７】
例えば縦横１０ドットの大きさのボタンを押下する場合、影の大きさも１０ドット分の大きさであるとすると、ボタンは完全に影に隠れて見えないが、２倍の拡大表示を行った場合にボタンの大きさは縦横２０ドットの大きさとなるため、影に隠れる範囲の周りにボタンが表示されることからボタンを狙いやすくなる。
【００２８】
三つ目の理由としてあげた、自分が操作しているつもりの座標と実際に操作している座標のズレについては、一つ目の理由に挙げた手の動きのぶれの軽減に伴って同様に軽減することができる。
【００２９】
四つ目の理由としてあげたキャリブレーションのズレにともなう、操作しているつもりの座標と実際に操作している座標のズレについても一つ目の理由に挙げた手の動きのぶれの軽減に伴って同様に軽減することができる。
【図面の簡単な説明】
【００３０】
【図１】本発明に係る電子ボードシステムの一実施の形態を示すシステム構成図である。
【図２】パーソナルコンピュータをマウスで操作するときの手の動きを示した図である。
【図３】電子ボードシステムを電子ペンで操作するときの手の動きを示した図である。
【図４】画面上に配置されたボタンに対して電子ペンでクリックイベントを生成させようとしている図である。
【図５】指示棒を使って電子ボードシステムの操作を行っている図である。
【図６】会議や教育の場で電子ボードシステムを使用している例の図である。
【図７】会議や教育の場で電子ボードシステムを使用している例の図である。
【図８】本発明の概念を示した図である。
【図９】本発明の部分拡大表示手段および、拡大表示中に発生したイベントを記録するイベント記録手段、さらには拡大表示を終了した後に記録したイベントを発生させるイベント遅延再生手段を実現するためのフローチャートである。
【図１０】本発明の検出座標変換プログラムをより詳しく説明する機能ブロック図である。
【発明を実施するための形態】
【００３１】
以下、本発明に係る電子ボードシステムの実施形態について、図面に基づき説明する。
【００３２】
図１は本発明に係る電子ボードシステムの実施形態を示すシステム構成図である。
【００３３】
本実施形態の電子ボードシステムは、投影面１０１、座標検出装置１０２、入力ペン１０３、表示画面投影表示装置１０４、制御用コンピュータ１０５、この制御用コンピュータ１０５に付属したキーボード１０６及び表示装置１０７で構成されている。
【００３４】
制御用コンピュータ１０５は汎用のパーソナルコンピュータと同等の機能を有するもので、内部メモリには座標検出装置１０２で検出された座標を表示映像の指示位置と一致させる検出座標変換プログラム１０５１が格納されている。
【００３５】
表示画面投影表示装置１０４には表示装置１０７に表示されている画面と同じものが投影面１０１に対して入力エリア１０８の大きさで表示される。
【００３６】
座標検出装置１０２と検出座標変換プログラム１０５１によって、投影面１０１に表示画面投影装置１０４で投影した映像による入力エリア１０８の範囲内で、入力ペン１０３を使って入力することができる。
【００３７】
図８は本発明の概念を示した図である。表示画面投影装置１０４により投影されたパーソナルコンピュータの画面８０１の上に配置されたボタンに対してクリックイベントを発生させようとしているが、ボタン近辺を拡大鏡８０２によって拡大表示し、拡大表示面８０３に表示された拡大表示されたボタンを電子ペンでクリックすることができる。
【００３８】
ここで、注意すべきは、電子ペンを当てて操作する面は画面８０１上ではなくて、拡大表示面８０３上であることである。なお、図８においては、拡大鏡とのアナロジーにより理解がしやすくなると考えて拡大表示領域が円であるように描いてあるが、実際には拡大領域を矩形とする。領域判定（電子ペンがその領域内を指しているか否かの判定）を容易にするためである。
【００３９】
図９は本発明の部分拡大表示手段および、拡大表示中に発生したイベントを記録するイベント記録手段、さらには拡大表示を終了した後に記録したイベントを発生させるイベント遅延再生手段を実現するためのフローチャートである。
【００４０】
電子ボードシステムに電子ペンや手が押し付けられたことを検知すると（ステップ９０１）クリック回数を１として記憶する（ステップ９０２）。
【００４１】
次に電子ペンや手が押し付けられた位置を座標検出装置１０２により読み取り、その位置に表示画面投影装置１０４により投影されている制御用コンピュータ１０５の画面を拡大表示し（ステップ９０３）、座標検出装置１０２により読み取った座標を電子ペンや手が押し付けられた位置として保存する（ステップ９０４）。
【００４２】
次に押し付けられていた電子ペンや手が離されていないかどうかを判定する（ステップ９０５）。
【００４３】
押し付けられたままの場合は押し付けられてから一定時間が経過していないかどうかを判定する（ステップ９０６）。
【００４４】
一定時間が経過していない場合は押し付けられたままの電子ペンや手の現在の位置を座標検出装置１０２により再度読み取り、ステップ９０４で保存した座標と比較して一定距離以上離れていないかどうかを判別する（ステップ９０７）。
【００４５】
ステップ９０７で電子ペンや手が押し付けられた位置から一定距離以上移動していないと判別された場合はステップ９０５に戻って処理を繰り返す。
【００４６】
ステップ９０６で電子ペンや手が押し付けられてから一定時間が経過したと判別された場合は拡大表示を終了し（ステップ９０８）、ドラッグイベントを生成する（ステップ９０９）。
【００４７】
ドラッグイベントはステップ９０４で保存した座標でマウスのボタンが押された場合と同等のイベントを擬似的に発生させた後、押し付けられたままの電子ペンや手の現在の位置を座標検出装置１０２により再度読み取り、その位置にマウスポインタが移動した場合と同等のイベントを擬似的に発生させればよい。
【００４８】
ステップ９０７で電子ペンや手が押し付けられてから一定距離以上を移動したと判別した場合もステップ９０８以降の処理を行う。
【００４９】
なお、ここでいう一定距離を大きい値に設定すればするほど、より大きい手の動きのぶれを許容することができる。拡大表示を行う拡大率によっても調整を行うことが望ましい。
【００５０】
ステップ９０５で押し付けられていた電子ペンや手が離されたと判別された場合はダブルクリックの可能性があるため、再度電子ペンや手が押し付けられていないかを判定する（ステップ９１０）。再度押し付けられている場合はクリック回数をカウントアップし（ステップ９１１）、再度押し付けられていない場合はクリック回数をカウントアップしない。
【００５１】
次にステップ９０５のタイミングから一定時間が経過していないかどうかを判別し（ステップ９１２）、一定時間が経過していなければステップ９１０に戻る。
【００５２】
なお、ステップ９０６の一定時間とステップ９１２の一定時間は異なる時間に設定することが望ましい。ステップ９０６の一定時間が数秒単位が望ましいが、ステップ９１２の一定時間は数百ミリ秒単位で十分である。
【００５３】
また、一定時間経過したかどうかの判断の基準となる開始時間についても、ステップ９０６ではステップ９０１を開始時間として扱うのに対し、ステップ９１２ではステップ９０５を開始時間として扱う。
【００５４】
ステップ９１２でステップ９０５のタイミングから一定時間が経過したと判定した場合は、拡大表示を終了させ（ステップ９１３）、クリック回数分のクリックイベントを生成させる（ステップ９１４）。
【００５５】
クリックイベントはステップ９０４で保存した座標でマウスのボタンが押された場合と同等のイベントを擬似的に発生させた後、続けて同じ位置でマウスのボタンが離された場合と同等のイベントを擬似的に発生させればよい。なおクリック回数が２の場合はもう１度クリックイベントを発生させればよい。
【実施例１】
【００５６】
図１０は、本発明の検出座標変換プログラムをより詳しく説明する機能ブロック図である。上に説明した実施形態では、フローチャートに基づいて電子ペンにより発生させるイベントの処理について説明した。図１０では、機能ブロック図に基づいて説明する。
【００５７】
図１と同じ部材については、同じ符号を付してある。制御用コンピュータ１０５の表示画面は表示装置１０７に表示されるとともに表示画面投影装置１０４により投影面１０１に投影表示される。操作者は電子ペン１０３により投影面１０１の位置を指し、電子ペン１０３の先にあるスイッチを当接させてクリック動作を行う（手や指示棒での動作をペン先のスイッチなしに検出可能な座標検出装置もあるが、それらを代表させて電子ペンのクリックと呼ぶ）。座標検出装置１０２は電子ペン１０３の位置座標及びクリック情報（投影面への当接情報）を検出し、制御用コンピュータ１０５へ入力する。
【００５８】
図１において、制御用コンピュータ１０５内に検出座標変換プログラム１０５１が格納されているとしたが、それは図１０においては、電子ペンイベント記録手段５０１、部分拡大表示手段５０２、拡大ウインドウ情報記憶手段５０３、領域判定手段５０４、マウスイベント記録手段５０１が協働して実現するものに対応する。図１０において手段と記載しているものは、ＨＤＤ（ハードディスクドライブ）などの記憶手段に格納されたコンピュータプログラムが必要に応じてメインメモリ（主記憶装置）に読み込まれてＣＰＵ（中央処理装置）が処理して実現する機能を便宜的にブロック図として表現したものである。
【００５９】
キーボード入力信号を表示処理手段４０３に引き渡すキー入力コントローラ２０２、表示処理手段４０３からの信号を表示装置１０７に引き渡す表示装置コントローラ４０２はいずれも電子回路であり、通常ＬＳＩとして構成される。図１０においてはハードウェアとソフトウェアとの境目を示すために記載してある。なお、キーボード１０６とキー入力コントローラ２０２との間、座標検出装置１０２と電子ペンドライバ３０２との間、表示装置１０７と表示装置コントローラ４０２との間には厳密に言えばインタフェース回路が存在するが、本発明とは直接関係ないので記載を省略してある。また、キー入力コントローラ２０２は、作図処理手段７０１に対しても信号をやり取りするが煩雑を避けるために図１０においては、矢印を省略した。
【００６０】
電子ペンドライバ３０２及びマウスドライバ６０２は、いずれもデバイスドライバと呼ばれるコンピュータプログラムであって、コンピュータのハードウェア周辺機器を動作させるために必要なプログラムである。マウスドライバ６０２は、作図処理手段７０１などのアプリケーションプログラムにマウス情報（座標情報、ドラッグ情報、クリック情報など）を引き渡して作業を進めるものである。電子ペンドライバ３０２は、本来デバイスドライバであるという観点からすると座標検出装置ドライバと呼ぶことが適切かもしれないが、操作者のマンマシンインタフェース感覚を重視してここでは電子ペンドライバと呼ぶことにする。操作者は座標検出装置の存在をあまり意識せずに電子ペンを操作するからである。
【００６１】
図１に記載した検出座標変換プログラム１０５１は、電子ペンドライバ３０２の機能拡張バージョンとして、この電子ボードシステムの顧客に提供される可能性のあるものである。
【００６２】
電子ペンドライバ３０２は、本発明による部分拡大表示をしない状況においては、座標検出装置１０２が検出した電子ペン１０３の位置情報、クリック情報などを作図処理手段７０１に直接、あるいはマウスドライバ６０２を介して引き渡す。作図処理手段７０１は、一般にパソコンが用いる汎用的なプレゼンテーションプログラム、ＣＡＤプログラムなどを用いるので、マウス入力により作図処理、描画処理、メニュー選択などのさまざまな処理を実現する。作図処理手段７０１が作成した図形（画像、文字などを含む）は、図形ＤＢ７０２に格納され、図形展開手段７０３により展開処理されて、表示処理手段４０３に引き渡される。
【００６３】
部分拡大表示をしない通常処理と、部分拡大表示をする拡大処理との切替は、例えばキーボード１０６の特定のキーにその機能を割り当てて行う。または電子ペン１０３によりメニュー選択をすることにより行うこともできる。
【００６４】
部分拡大表示をする拡大処理の実行中は、図９のフローチャートに従う。電子ペンドライバ３０２がペンクリック情報を受け取るとステップ９０１でＹＥＳと判定されて、電子ペンイベント記録手段５０１はクリック回数をカウントし（ステップ９０２）、部分拡大表示手段はその時の電子ペンの位置座標に基づく所定の大きさの矩形領域を拡大表示するように表示処理手段４０３に要求する（ステップ９０３）。拡大ウインドウ情報記憶手段５０３はその時の電子ペンの位置座標、拡大した矩形領域の情報、もとの座標との対応関係などを記憶し、領域判定手段５０４の利用に供する（ステップ９０４）。
【００６５】
図９のフローチャートにはないが、領域判定手段５０４は電子ペン１０３がこの領域内にあるか否かを監視し、電子ペン１０３がこの領域内にある間は、この拡大処理を維持し、その領域内で電子ペン１０３が移動しても拡大して表示しているウインドウは動かさない。しかし、領域外に電子ペン１０３が出てペンクリックがあるときには、新たな点に基づいて拡大領域を設定し直す。
【００６６】
電子ペン１０３の拡大ウインドウ領域内の操作によりペンによるドラッグを検出すると（ステップ９０５，９０６，９０７）、部分拡大表示手段５０２が表示処理手段４０３に拡大表示の終了を要求し（ステップ９０８）、電子ペンイベント記録手段５０１はマウスイベント発生に必要な情報をマウスイベント遅延発生手段６０１に引き渡す。マウスイベント遅延発生手段６０１は、ドラッグイベントを生成しマウスドライバ６０２を介して（あるいは直接）作図処理手段７０１にドラッグイベント情報を引き渡す（ステップ９０９）。
【００６７】
電子ペン１０３の拡大ウインドウ領域内の操作によりペンによるクリックを検出すると（ステップ９１０，９１１，９１２）、部分拡大表示手段５０２が表示処理手段４０３に拡大表示の終了を要求し（ステップ９１３）、電子ペンイベント記録手段５０１はマウスイベント発生に必要な情報をマウスイベント遅延発生手段６０１に引き渡す。マウスイベント遅延発生手段６０１は、クリックイベントを生成しマウスドライバ６０２を介して（あるいは直接）作図処理手段７０１にクリックイベント情報を引き渡す（ステップ９１４）。
【００６８】
このようにマウスイベント遅延発生手段６０１は、電子ペンイベント（電子ペンによるクリック、ドラッグなど）をそのままマウスドライバ６０２、作図処理手段７０１に引き渡さずに電子ペンイベント記録手段５０１にいったん貯留したデータを拡大処理の流れにしたがって処理し、変換してから引き渡すものである。拡大表示中は、拡大領域における座標ともとの座標とは異なるので、その対応関係に基づいて座標変換する必要があるからである。
【００６９】
これにより、操作者の手ぶれや影による入力のしづらさを軽減することが可能となる。
【産業上の利用可能性】
【００７０】
コンピュータを用いて画面を生成し、その画面を投影面に投影し、その投影面上の電子ペンの座標を検出して、前記コンピュータに入力する電子ボードシステムであって、前記コンピュータの画面生成アプリケーションプログラムがマウス入力を用いるものに利用可能である。
【符号の説明】
【００７１】
１０１  投影面
１０２  座標検出装置
１０３  入力ペン
１０４  表示画面投影装置
１０５  制御用コンピュータ（画面生成装置）
１０６  キーボード
１０７  表示装置
１０８  入力エリア
２０２  キー入力コントローラ
３０２  電子ペンドライバ
４０１  表示処理手段
４０２  表示装置コントローラ
５０１  電子ペンイベント記録手段
５０２  部分拡大表示手段
５０３  拡大ウインドウ情報記憶手段
５０４  領域判定手段
６０１  マウスイベント遅延生成手段
６０２  マウスドライバ
７０１  作図処理手段
７０２  図形（画像）ＤＢ
７０３  図形（画像）展開手段
１０５１  検出座標変換プログラム
【図１】
2010205105.tif 000003
【図２】
2010205105.tif 000004
【図３】
2010205105.tif 000005
【図４】
2010205105.tif 000006
【図５】
2010205105.tif 000007
【図６】
2010205105.tif 000008
【図７】
2010205105.tif 000009
【図８】
2010205105.tif 000010
【図９】
2010205105.tif 000011
【図１０】
2010205105.tif 000012